(57)【要約】  【課題】  ライセンスプレート部を照明する照明装置によって、ライセンスプレート部の意匠性の向上を図ることを目的とする。  【解決手段】  ライセンスプレート周辺に設置される光源と、  光透過部を備え、前記光源を収納するガーニッシュと、  前記光源の光から、前記ライセンスプレートに照射する第１の光と、前記ガーニッシュに照射する第２の光とを生成する分光部材と、  を備える車両用照明装置とする。  【選択図】  図１
2005268068.tif 000002
【特許請求の範囲】
【請求項１】
ライセンスプレート周辺に設置される光源と、
光透過部を備え、前記光源を収納するガーニッシュと、
前記光源の光から、前記ライセンスプレートに照射する第１の光と、前記ガーニッシュに照射する第２の光とを生成する分光部材と、
を備える車両用照明装置。
【請求項２】
前記分光部材が、
前記光源の光が入射する光入射面と、
前記光入射面から入射した光の一部から生成された前記第１の光を放出する第１光放出面と、
前記光入射面から入射した光の一部から生成された前記第２の光を放出する第２光放出面と、を備える光透過性の導光体からなる、請求項１に記載の車両用照明装置。
【請求項３】
前記分光部材が、受光した光の一部から前記第１の光を生成する第１反射面と、受光した光の一部から前記第２の光を生成する第２反射面とを備える、請求項１に記載の車両用照明装置。
【請求項４】
ライセンスプレート周辺に設置されるLEDと、
光透過部を備え、前記LEDを収納するガーニッシュと、を備え、
前記LEDは、発光素子の放出光から、前記ライセンスプレートに照射する第１の光と、前記ガーニッシュに照射する第２の光とを生成する封止部材を備える車両用照明装置。
【請求項５】
前記第１の光の方向が前記発光素子の放出光の光軸に対して略垂直であり、前記第２の光の方向が前記光軸に対して略平行である、請求項４に記載の車両用照明装置。
【請求項６】
ライセンスプレート周辺に設置され、該ライセンスプレートに光を直接照射する光源と、
光透過部を備え、前記光源を収納するガーニッシュと、
前記光源の光の一部から前記光透過部に照射する光を生成する分光部材と、
を備える車両用照明装置。
【請求項７】
ライセンスプレート周辺に設置される光源と、
前記光源の光を直接受光する光透過部を備え、前記光源を収納するガーニッシュと、
前記光源の光の一部から前記ライセンスプレートに照射する光を生成する分光部材と、
を備える車両用照明装置。
【発明の詳細な説明】
【技術分野】
【０００１】
本発明は車両用照明装置に関する。詳しくは、ライセンスプレートの照明に利用される装置に関する。
【背景技術】
【０００２】
車両のライセンスプレートの、夜間における視認性を向上させるために、その表面に光を照射することが行なわれている。このようなフロントライト式の照明方法ではライセンスプレートの上方、下方あるいは側方など周囲のいずれかに設置した光源の光を直接ライセンスプレートに照射している。より良好にライセンスプレートに照射するために、反射板を用いる方法が提案されている（特許文献１を参照）。この方法によると、ライセンスプレートには光源からの光が直接照射されるだけでなく、反射板による反射光が光源から離れた領域にも照射される。これによってライセンスプレートの全面へ光が均等に照射され、照度ムラの軽減が図られる。
【０００３】
【特許文献１】実開平２−５４７４５号公報
【発明の開示】
【発明が解決しようとする課題】
【０００４】
現在、車両全体及び各部の意匠性向上を目的として様々な努力がなされている。ライセンスプレート部においても、夜間などにおけるライセンスプレートの視認性の向上のみならず、その意匠性ないし装飾性の向上が求められている。
【課題を解決するための手段】
【０００５】
以上の課題に鑑みて検討した結果、ライセンスプレートを照明することに加えてライセンスプレートの周囲に発光部を設けることがライセンスプレート部の意匠性等を向上させることに有効であると考えられた。例えばライセンスプレート用の光源を収納するガーニッシュの観察面に文字やロゴマーク等の形状の発光部を設け、これを夜間などに発光させることにすれば、ライセンスプレート部を当該発光部によって加飾することができる。しかし、ガーニッシュに設けられる発光部に光を供給する光源が別途必要となる。ガーニッシュ内のスペースが限られたものであることを考慮すれば、ライセンスプレート用の光源に加えて、さらに別の光源を設置することは難しく、ガーニッシュのデザイン性の観点からも好ましくない。また、限られたスペースに２種類の光源を設置することは取り付け作業を煩雑にもする。
【０００６】
本発明は以上の問題を解決するために、以下に示す照明装置を提供する。即ち、
ライセンスプレート周辺に設置される光源と、
光透過部を備え、前記光源を収納するガーニッシュと、
前記光源の光から、前記ライセンスプレートに照射する第１の光と、前記ガーニッシュに照射する第２の光とを生成する分光部材と、
を備える車両用照明装置である。
【発明の効果】
【０００７】
本発明の車両用照明装置では、光源の光から２種類の光、即ちライセンスプレート照明の光とガーニッシュ光透過部への光とを生成することで、ライセンスプレートの照明とガーニッシュ光透過部への光の供給とを同時に行なうことができる。したがって、ライセンスプレート照明用とガーニッシュ光透過部用の光源を別々に設ける必要がないため、光源用のスペースが少なくて済む。さらに、ライセンスプレート照明用の光源とガーニッシュ光透過部用の光源とを共有化することで部品数が減り、低コスト化及び取り付け作業性の向上が達成される。尚、ガーニッシュ光透過部を文字やロゴマークなど所望の形状にすることにより、ライセンスプレート部の意匠性を効果的に高めることができる。
【発明を実施するための最良の形態】
【０００８】
以下、本発明における車両用照明装置の構成要素について詳細に説明する。
（光源）
光源の種類は特に限定されず、例えば、LED、電球（バルブ）、蛍光灯、冷陰極管などをここでの光源として用いることができる。中でもLEDを用いることが好ましい。LEDは小型であるため光源用のスペースが少なくて済むという利点を有する。またLEDは消費電力が小さいことから省エネルギー化の要請にも沿うものである。更にLEDは発熱量が小さく周りの部材に与える影響が少ないといった利点も併せ持つ。加えてLEDは長寿命であるからメンテナンスの面などからも有利なものとなる。更に言えば、LEDは振動、衝撃に強いことから信頼性の高い光源を構成できるといった利点もある。LEDのタイプは特に限定されず、砲弾型、チップ型等、種々のものを採用できる。光源には複数のLEDを用いても良い。その場合、LEDはライセンスプレートに沿って略等間隔で配置することが好ましい。全体の照度ムラが軽減され明るく均一に照明することが可能となるからである。
【０００９】
LEDの発光色も特に限定されず、白、赤，緑、青などの可視領域の光を発生するLEDを採用できる。好ましくは、白色発光するLEDを採用する。白色発光LEDを採用すれば、ライセンスプレートに表示された、数字や文字を本来の色で観察（視認）することができるからである。
【００１０】
（ガーニッシュ）
ガーニッシュには、光源が収納される。ガーニッシュは本体部（以下、本明細書ではガーニッシュ本体部ともいう）と、本体観察面に備えられた光透過部（以下、本明細書ではガーニッシュ光透過部ともいう）とからなる。ガーニッシュ本体部の材質は特に限定されないが、成形性や耐久性等を考慮して、通常ポリプロピレン樹脂、アクリロニトリルブタジエンスチレン（ＡＢＳ）樹脂などの樹脂製、あるいはアルミニウム、ステンレスなどの金属製である。ガーニッシュ本体部の形状は特に限定されず、車両本体との一体感及び意匠性等を考慮して所望の形状を採用することができる。
ガーニッシュ光透過部の材質は光透過性であれば特に限定されず、アクリル樹脂、ポリエチレンテレフタレート（ＰＥＴ）樹脂、ポリカーボネート樹脂、シリコーン樹脂、エポキシ樹脂等の合成樹脂や、ガラスなどの無機材料を採用することができる。ガーニッシュ光透過部の形状は特に限定されず、文字、ロゴマーク若しくは直線或いは曲線からなる幾何学図形又は幾何学模様など、車両本体との一体感及び意匠性を考慮して所望の形状を採用できる。
【００１１】
（分光部材）
分光部材は光源の光から第１の光と第２の光とを生成可能な形態であれば特に限定されない。ここでいう第１の光とはライセンスプレートに照射する光であり、第２の光とはガーニッシュ光透過部に照射する光である。
本発明における車両用照明装置の一態様では、分光部材は光透過性材料からなる導光体により構成される。導光体の材質は光透過性であれば特に限定されず、アクリル樹脂、ポリエチレンテレフタレート（ＰＥＴ）、ポリカーボネート樹脂、シリコーン樹脂、エポキシ樹脂等の合成樹脂や、ガラスなどの無機材料を採用することができる。該導光体は、光源の光が入射する光入射面と、入射光の一部から生成される第１の光を放出する第１光放出面と、入射光の一部から生成される第２の光を放出する第２光放出面とを備える。光入射面より入射した光は、導光体内で反射され、或いは導光体を透過し、第１光放出面及び第２光放出面から所定の方向に放出される。
【００１２】
本発明における車両用照明装置の他の態様では、分光部材は、光源の光の一部から第１の光を生成する第１反射面と、光源の光の一部から第２の光を生成する第２反射面とを備える。第１反射面及び第２反射面の形態としては、白色系の樹脂による反射面や、Ａｌ、Ａｇなどの金属による反射面を例示することができる。第１反射面及び第２反射面の形状は、受光した光をそれぞれ所定の方向に反射可能であれば特に限定されず、放物面形状等を例示できる。第１反射面及び第２反射面は一体的に構成しても良い。即ち、第１反射面と第２反射面とが一部を共有して連続するように構成しても良い。
尚、分光部材が、第１の光又は第２の光のいずれかのみを生成するようにしてもよい。即ち、分光部材が、受光した光をライセンスプレート（ガーニッシュ光透過部）方向に反射する反射面を備えることとし、光源の光の一部を直接ガーニッシュ光透過部（ライセンスプレート）方向に進行させてもよい。
【００１３】
本発明における車両用照明装置のさらに他の態様では、光源としてLEDを用い、該LEDは発光素子の放出光から第１の光と第２の光とを生成する封止部材を備える。LEDとしては、国際公開第０３／０４９２０７号に開示されたLEDを好適に用いることができる。同公報に開示される発光ダイオードの一の実施例では、LEDの封止部材が形成する界面によって、LEDの発光素子の放出光から該放出光の光軸に略垂直な光と該放出光の光軸に略平行な光とが生成される。該放出光の光軸に略垂直な光を第１の光とし、該放出光の光軸に略平行な光を第２の光とすることができる。
【００１４】
本発明における車両用照明装置は、ライセンスプレート周辺に取り付けられて使用される。以下、実施例を用いて本発明の構成をより詳細に説明する。
【実施例１】
【００１５】
本発明の一の実施例である車両用照明装置１（以下、照明装置１ともいう）の使用状態の斜視図を図１に示す。また、図１におけるＡ−Ａ線断面図を図２に示す。照明装置１は光源として６個のLED２を備える。LED２は砲弾型の白色発光LEDである。６個のLED２は、後述する導光体４の上端面に対向して等間隔で配置される。LED２は基板（図示せず）にマウントされている。当該基板表面には配線パターン及び電源線（図示せず）が形成されており、この配線パターン等を介してLED２へ給電される。また、制御線（図示せず）を介して接続されたコントローラ（図示せず）によりLED２の点灯制御が行なわれる。
照明装置１は分光部材として導光体４を備える。導光体４は無色透明のアクリル樹脂製である。導光体４は板状であり、その幅はライセンスプレート５の幅と略同一となっている。導光体４はライセンスプレート５の上辺に略沿って設置される。導光体４の上端面はLED２に対向しており、LED２の光に対する光入射面４１となる。ライセンスプレート５に対向する導光体４の下端面が第１光放出面４３となる。導光体４の車両本体側の面はアルミ蒸着が施されており導光体反射面４４となる。一方、導光体反射面４４の反対側の面が第２光放出面４２となる。尚、光入射面４１、第１光放出面４３および第２光放出面４２のガーニッシュ光透過部３２（後述）に対応する部分以外の導光体４の表面にはアルミ蒸着が施されている。
以上の構成のLED２及び導光体４はガーニッシュ３内に収納されている。ガーニッシュ３はガーニッシュ本体部３１とガーニッシュ光透過部３２からなる。ガーニッシュ本体部３１はABSで構成され、ガーニッシュ光透過部３２は透明のアクリル樹脂で構成される。光透過部３２は所望の文字等（この例ではＡＢＣＤＥ）をかたどった平面視形状を有する。ガーニッシュ３の下部は、導光体４の第１光放出面４３から放出した光がライセンスプレート５に照射可能なように開口している。
【００１６】
次に照明装置１の照明態様を説明する。まず、車幅灯の点灯に連動してLED２が点灯する。LED２の光は光入射面４１を介して導光体４に導入される。導入された光の一部は直接又は導光体４内部で反射を繰り返した後、第１光放出面４３より放出される。第１光放出面４３より放出された光はライセンスプレート５に照射する。一方、導光体４に導入された光の一部は第２光放出面４２より放出される。第２光放出面４２より放出された光はガーニッシュ光透過部３２の内側表面に照射する。その光は、ガーニッシュ光透過部３２を透過して外側表面から放出する。よって外部から観察したとき、ガーニッシュ光透過部３２が発光したように見える。これによって所望の文字等が発光表示され、ライセンスプレート部の意匠性が向上する。
尚、第２光放出面４２において、ガーニッシュ光透過部３２に対応する部分以外の部分にアルミ蒸着を施したことによって、ガーニッシュ光透過部３２を発光させることに必要な光のみが第２光放出面４２から放出される。その結果、導光体４に導入された光の多くが第１光放出面４３より放出されることとなり、ライセンスプレート５を効果的に照明することができる。
【００１７】
ここで、第１光放出面４３から放出される光によるライセンスプレート５の照明においてその照明強度はLED２から離れた領域ほど小さくなる。従って、LED２からの距離が遠いライセンスプレート下部に、より多くの光を照射することが好ましい。そこで導光体光反射面４４をLED２の光軸に平行とすれば、第２光放出面４２から適度に光を放出しつつ、第１光放出面４３から積極的に光を放出することができる。照明装置１の第１光放出面４３の形状は、光入射面４１に略平行な平面としたが、ライセンスプレート５の位置等を考慮して、ライセンスプレート５が良好に照明されるように適宜設定することができる。
以上のように、照明装置１では、LED２の光がライセンスプレート５及びガーニッシュ光透過部３２の両方に照射されるため、ライセンスプレート５とガーニッシュ光透過部３２とのそれぞれについて光源を設置する必要がなく、光源の設置スペースを小さくすることができる。加えて、部品数も少なくて済むため、取り付け作業効率も向上する。
【００１８】
ここで、導光体４の導光体反射面４４は、光入射面４１から第１光放出面４３にかけて第２光放出面４２に近づくようにテーパーしていても良い。このようにすれば、導光体４に導入された光を第２光放出面４２方向に積極的に反射させることが可能となる。また、LED２からの距離が離れた領域ほど導光体反射面４４がLED２の光軸に近づくことから導光体反射面４４における受光量が全体にわたって平均化される。その結果、ガーニッシュ光透過部３２を輝度ムラの少ない状態で発光させることができる。
第２光放出面４２を、光透過性の着色剤により任意の色に着色しても良い。或いは、ガーニッシュ光透過部３２の表面を、光透過性の着色剤により任意の色に着色しても良い。このようにすることでガーニッシュ光透過部３２がかたどる文字を任意の色で光らせることができるため、ライセンスプレート部の意匠性をより一層高めることができる。
【００１９】
ガーニッシュ光透過部３２の表面に拡散処理を施してもよい。拡散処理としては、シボなど周知の方法を用いることができる。あるいは、ガーニッシュ光透過部３２に光拡散材を含有させても良い。光拡散材としてはシリカ、アルミ等の金属など周知の材料を採用できる。これらのようにすることで、ガーニッシュ光透過部３２から外部に放出される光の輝度の均一化を図ることができる。
【実施例２】
【００２０】
本発明の他の実施例である車両用照明装置１０（以下、照明装置１０ともいう）の使用状態の斜視図を図３に示す。図３におけるＢ−Ｂ線断面図を図４に示す。また、反射部材４０の斜視図を図５に示す。尚、以下の説明において使用する図面において、上述の照明装置１と同一の部材には同一の符号を付してその説明を省略する。
照明装置１０は６個のLED２を備える。LED２は、放出光が車両本体側に向かうように設置される。照明装置１０は、さらに分光部材４０を備える。分光部材４０は長さ方向（横方向）に均一な形状であって、ガーニッシュ３側の下部に第１反射面４１０を備え、上部に第２反射面４２０を備える。第１反射面及び第２反射面はそれぞれ凹曲面である。この実施例では第１反射面及び第２反射面の断面は放物線の一部である。尚、第１反射面４１０の上端と第２反射面４２０の下端とが境界部４３０で繋がっている。第１反射面４１０は受光したLED２の光をライセンスプレート５の方向に反射し、第２反射面４２０は受光したLED２の光をガーニッシュ光透過部３２の方向に反射する。尚、第１反射面４１０と第２反射面４２０の表面にはアルミ蒸着が施されている。分光部材４０は、境界部４３０がLED２の光軸上に位置するように、LED２と車両本体との間に設置される。
【００２１】
次に照明装置１０の照明態様を説明する。LED２の光の一部は、第１反射面４１０に照射し、ライセンスプレート５の方向へ反射され、ライセンスプレート５を照明する。一方、LED２の光の他の一部は、第２反射面４２０に照射し、ガーニッシュ光透過部３２の方向へ反射され、ガーニッシュ光透過部３２から外部へ放射する。このように照明装置１０では、ライセンスプレート５とガーニッシュ光透過部３２の両方に対して同時にLED２の光を照射することができる。即ち、ライセンスプレート用光源とガーニッシュ光透過部用光源とが共有化されることになり、光源の設置スペースが少なくて済む。さらに部品数が減少することから、取り付け作業も煩雑とならない。また、分光部材４０により第１反射面４１０と第２反射面４２０とを一体的に構成したことにより、部品数のさらなる削減が図られることになり、低コスト化及び取り付け作業効率の向上が達成される。
【００２２】
車両用発光装置１０では、第１反射面４１０と第２反射面４２０とが一体的に構成されているが、第１反射面４１０と第２反射面４２０とを別個独立に設けても良い。例えば、図６に示すように、第１反射面４１０を備える分光部材４０１と、第２反射面４２０を備える分光部材４０２とを用いて照明装置を構成する。分光部材４０１は第１反射面４１０がLED２に対面し、第１反射面４１０の上端がLED２の光軸上に位置するように設置される。一方、分光部材４０２は第２反射面４２０がLED２に対面し、第２反射面４２０の下端がLED２の光軸上に位置するように設置される。以上の構成の車両用照明装置では第１反射面４１０と第２反射面４２０の位置をそれぞれ設定できる。したがって、ライセンスプレート５を良好に照明し、かつガーニッシュ光透過部３２を良好に発光させるための調整が容易となる。
【実施例３】
【００２３】
本発明のさらに他の実施例である車両用照明装置１００（以下、照明装置１００ともいう）の使用状態の斜視図を図７に示す。図７におけるＣ−Ｃ線断面を図８に示す。光源の拡大図を図９に示し、図９におけるＤ−Ｄ線断面を図１０に示す。なお、以下の説明において使用する図面において、上述の照明装置１及び照明装置１０と同一の部材には同一の符号を付してその説明を省略する。
照明装置１００では、ガーニッシュ３内に、６個のLED６を備えるランプアセンブリ７が収納される。図１０に示すLED６の縦断面において、Ｚ−Ｚ軸は発光素子６１の中心を通り、発光素子６１の放出光の光軸に平行な線である。リードフレーム６６にマウントされた発光素子６１はリードフレーム６７とワイヤボンディングされ、エポキシ樹脂からなる封止部材６２により封止される。LED６は、封止部材６２の発光素子６１の上面側に上面反射面６３ａ及び６３ｂと中央放射面６４とを備え、発光素子６１の側面側に側面放出面６５ａ及び６５ｂを備える。上面反射面６３ａ及び６３ｂは、発光素子６１の上面中央部を焦点とし、対称軸がＺ−Ｚ軸に垂直な放物線をＺ−Ｚ軸の周りに回転させた形状に形成され、中央放出面６４はＺ−Ｚ軸に略垂直な平面に含まれる円形状に形成される。側面放出面６５ａ及び６５ｂはＺ−Ｚ軸に略平行で、LED６の下部から上部にかけてわずかにテーパーした円筒面形状となっている。LED６は基板（図示せず）にマウントされている。当該基板表面には配線パターン及び電源線が形成されており、この配線パターン等を介して、LED６に給電される。また、基板上には保護抵抗などの素子（図示せず）が設置されている。
【００２４】
ランプアセンブリ７は６個のLED６と、光透過性のアクリル樹脂からなる導光体７０とにより構成される。６個のLED６は等間隔に配置され、導光体７０が各LED６の上面反射面６３ａ及び６３ｂ、中央放射面６４並びに側面放出面６５ａ及び６５ｂを覆う（図１０を参照）。導光体７０はLED６に対向する面（光入射面７０ａ、７０ｂ及び７０ｃ）と、上面（リフレクタ面７１）と、下面（第１光放出面７３）と、LED６の中央放射面６４から放射される光を照射する面（第２光放出面７２）とを備える。光入射面７０ａおよび７０ｂはLED６の側面放出面６５ｂに略沿う形状となっており、光入射面７０ｃはLED６の光軸に略垂直な平面に含まれる円形状となっている。リフレクタ面７１はアルミ蒸着が施された光反射面であって、LED６の側面放出面６５ｂに略沿う形状となっており、受光したLED６の光を第１光放出面７３の側へ反射する。第２光放出面７２には光拡散処理としてシボが施されている。ランプアセンブリ７は、第１光放出面７３から放出されるLED６の光がライセンスプレート５に照射し、第２光放出面７２から放出されるLED６の光がガーニッシュ光透過部３２に照射するようにライセンスプレート５の上端に略沿って配置される。
【００２５】
照明装置１００の照明態様を説明する。発光素子６１から放出された光の一部は、上面反射面６３ａにより発光素子６１の光軸に略垂直な方向に反射される。反射された光は側面放出面６５ａより放出され、光入射面７０ａから導光体７０に導入される。一方、側面放出面６５ａ方向に直接進行した発光素子６１の光も側面放出面６５ａより放出され、光入射面７０ａから導光体７０に導入される。以上のようにして導光体７０に導入された光は導光体７０を導光した後、その一部が第１光放出面７３から放出され、ライセンスプレート５を照明する。一方、LED６から放出された光の中で上面光放出面６３ｂにより反射された光は側面放出面６５ｂより放出され、光入射面７０ｂから導光体７０に導入される。一方、側面放出面６５ｂ方向に直接進行した発光素子６１の光も側面放出面６５ｂより放出され、光入射面７０ｂから導光体７０に導入される。以上のようにして導入された光はリフレクタ面７１に照射され、リフレクタ面７１により第１光放出面７３の方向へ反射され、第１光放出面７３から放出された後、ライセンスプレート５を照明する。さらに、発光素子６１から放出された光の他の一部は中央放射面６４から発光素子６１の光軸に略平行な方向に放射され、光入射面７０ｃから導光体７０に導入される。導入された光は第２光放出面７２からガーニッシュ光透過部３２に照射され、外部に放射される。このように、照明装置１００では、LED６の封止部材６２に設けられた上面反射面６３ａ、６３ｂ及び中央放射面６４により、ライセンスプレート５を照明する光とガーニッシュ光透過部３２に照射される光とが同時に生成される。したがって、照明装置１００では分光部材を別途用意する必要がなく、その設置スペースが小さくて済む。さらに、部品数が少ないため、取り付け作業が容易となる。
ここで、照明装置１００におけるランプアセンブリ７の第２光放出面７２の表面に任意の色の光透過性の着色剤を塗布しても良い。若しくは第２光放出面７２を構成する樹脂に着色剤を含有させても良い。このようにすることで、ガーニッシュ光透過部３２から放出される光を任意の色に変換することができるため、照明装置１００による装飾性が一層向上する。また、第２光放出面７２の表面には光拡散処理としてシボが施されているが、光拡散処理として光拡散材を使用してもよい。即ち、第２光放出面７２を構成する樹脂に光拡散材を含有させても良い。光拡散材としては所定の粒径を有するシリカ、ガラス、アルミ等の金属など周知の材料を採用できる。第２光放出面７２に光拡散処理を施すことで、ガーニッシュ光透過部３２から外部に放出される光の輝度が均一化され、ガーニッシュ光透過部３２のかたどる文字がより良好に観察されることとなり、ライセンスプレート部の意匠性の向上が図られる。
【００２６】
以上の照明装置１００では、ランプアセンブリ７を用いて、ライセンスプレート５を照明する光とガーニッシュ光透過部３２に照射される光とを同時に生成したが、図１１に示したランプアセンブリ８を用いることによっても同様に２種類の光を生成することができる。この構成では、ランプアセンブリ８は光透過性のアクリル樹脂からなる中空の略角柱状のケーシング８０を備え、ケーシング８０は上面（リフレクタ面８１）と、下面（第１光透過面８３）と、LED６の中央放射面６４から放射される光を照射する面（第２光透過面８２）とを備える。ケーシング８０の内部には、LED６が等間隔に配置され、その発光素子６１の光軸は第２光透過面８２に略垂直とされている。リフレクタ面８１はアルミ蒸着が施された光反射面であって、LED６の側面放出面６５ｂに略沿う形状となっており、受光したLED６の光を第１光透過面８３の側へ反射する。第２光透過面８２の表面には光拡散処理としてシボが施されている。ランプアセンブリ８は、第１光透過面８３から放出されるLED６の光がライセンスプレート５に照射し、第２光透過面８２から放出されるLED６の光がガーニッシュ光透過部３２に照射するようにライセンスプレート５の上端に略沿って配置される。かかる構成によると、LED６の封止部材６２に設けられた上面反射面６３ａ、６３ｂ及び中央放射面６４とケーシング８０により、ライセンスプレート５を照明する光とガーニッシュ光透過部３２に照射される光とが同時に生成される。そのため、分光部材を別途用意する必要がなく、照明装置の設置スペースが小さくて済む。さらに、部品数が少ないため、取り付け作業が容易となる。
【００２７】
この発明は上記発明の実施の態様及び実施例の説明に何ら限定されるものではない。特許請求に範囲を逸脱せず、当業者が容易に想到できる範囲で種々の変形態様もこの発明に含まれる。
【産業上の利用可能性】
【００２８】
本発明の車両用照明装置は車両のライセンスプレートの照明及びその周辺の照明に利用される。本発明は、自動車に限らず様々な車両に対してその利用が図られる。
【図面の簡単な説明】
【００２９】
【図１】図１は本発明の一の実施例である車両用照明装置１を取り付けた車両の後部ライセンスプレート部の斜視図である。
【図２】図２は図１におけるＡ−Ａ線断面図である。
【図３】図３は本発明の他の実施例である車両用発光装置１０の斜視図である。
【図４】図４は図３におけるＢ−Ｂ線断面図である。
【図５】図５は車両用発光装置１０における分光部材４０の斜視図である。
【図６】図６は本発明の他の実施例である車両用発光装置１１の縦断面図である。
【図７】図７は本発明の他の実施例である車両用発光装置１００の斜視図である。
【図８】図８は図７におけるＣ−Ｃ線断面図である。
【図９】図９は車両用発光装置１００におけるランプアセンブリ７の斜視図である。
【図１０】図１０は図９におけるＤ−Ｄ線断面図である。
【図１１】図１１は本発明の他の実施例である車両用発光装置のランプアセンブリ８の縦断面図である。
【符号の説明】
【００３０】
１  １０  １１  １００  車両用照明装置
２  ６  LED
３  ガーニッシュ
３２  ガーニッシュ光透過部
４  ７０  導光体
４１  光入射面
４２  第２光放出面
４３  第１光放出面
４１０  第１光反射面
４２０  第２光反射面
４０  ４０１  ４０２  分光部材
５  ライセンスプレート
７  ８  ランプアセンブリ
７１  ８１  リフレクタ面
【図１】
2005268068.tif 000003
【図２】
2005268068.tif 000004
【図３】
2005268068.tif 000005
【図４】
2005268068.tif 000006
【図５】
2005268068.tif 000007
【図６】
2005268068.tif 000008
【図７】
2005268068.tif 000009
【図８】
2005268068.tif 000010
【図９】
2005268068.tif 000011
【図１０】
2005268068.tif 000012
【図１１】
2005268068.tif 000013